(57)【特許請求の範囲】
【請求項１】
底面板部前と底面板部後の連設辺に折り曲げミシン目線を設けて底面板部前の上辺側に幅板部を介して連設した正面板部と、正面板部の左右両サイドにそれぞれ幅板部を介して連設された保形板と、底面板部後の下辺側に連設した背面板部と背面板部左右両サイドにそれぞれ背面板部補強板と、背面板部の下辺側に連設した中仕切り板部と、中仕切り板部の下辺側に連設した底面板部上側前とを有する一枚の薄口タイプの板紙からなり、背面板部補強板を背面板部の上に重なるよう背面板部補強板を折り曲げてから、底面板部前と底面板部後と背面板部補強板の上になるように正面板部と正面板部の下辺側の幅板部を折り曲げるとともに正面板部の左右両サイドにそれぞれ幅板部を介して連設された保形板を底面板部前と底面板部後と背面板部補強板の上に重なるように折り曲げてから、中仕切り板部を正面板部の上になるように中仕切り板部を折り曲げるとともに底面板部上側前を保形板と正面板部の間に挿入してから、底面板部前と底面板部後の連設辺にある折り曲げミシン目線を山折りして、底面板部前の内側に底面板部上側前が重なり、更に、折り曲げミシン目線を谷折りすることにより中仕切り部と正面板部の間にカレンダー紙葉群の収納空間を形成したことを特徴とする卓上カレンダーケース。
【発明の詳細な説明】
【技術分野】
【０００１】
本発明は、卓上カレンダーケースに関するものである。
【背景技術】
【０００２】
従来、卓上カレンダーケースとしては、透明の塩化ビニル等のプラスチック製ケースのものが多く知られている。また厚板紙製ケースも存在する。
【先行技術文献】
【特許文献】
【０００３】
【特許文献１】特開２００５−２９７３９６号公報
【特許文献２】特開２００１−２６０５６７号公報
【特許文献３】実登３１５２９４１号公報
【発明の概要】
【発明が解決しようとする課題】
【０００４】
ケース素材に透明の塩化ビニル等のプラスチック製の卓上カレンダーケースは、使い終わって廃棄する時に環境問題の一因になるという問題があり、厚板紙製の卓上カレンダーケースでは、ＣО２などの温室効果ガス排出量削減問題の一因になる問題がある。
【０００５】
本発明は、このような問題に鑑みてなされたものであり、その目的とするところは、使用後に再生紙資源としリサイクル可能な環境配慮型で省エネ効果のある薄口タイプの板紙製の一枚物のブランクを簡単に組立てて上部が開口した収容部を形成することができる、工程が簡単で作成費用が廉価な卓上カレンダーケースを提供することにある。
【課題を解決するための手段】
【０００６】
上記の目的を達成するため、本発明に係る卓上カレンダーケースは、底面板部前と底面板部後の連設辺に折り曲げミシン目線を設け、底面板部前の上辺側に幅板部を介して連設した正面板部と、正面板部の左右両サイドにそれぞれ幅板部を介して連設された保形板と、底面板部後の下辺側に連設した背面板部と背面板部左右両サイドにそれぞれ背面板部補強板と、背面板部の下辺側に連設した中仕切り板部と、中仕切り板部の下辺側に連設した底面板部上側前とを有する一枚の薄口タイプの板紙からなり、背面板部補強板を背面板部の上に重なるよう背面板部補強板を折り曲げてから、底面板部前と底面板部後と背面板部補強板の上になるように正面板部と正面板部の下辺側の幅板部を折り曲げるとともに正面板部の左右両サイドにそれぞれ幅板部を介して連設された保形板を底面板部前と底面板部後と背面板部補強板の上に重なるように折り曲げてから、中仕切り板部を正面板部の上になるように中仕切り板部を折り曲げるとともに中仕切り板部の下辺側に連設された底面板部上側前を保形板と正面板部の間に挿入してから、底面板部前と底面板部後の連設辺にある折り曲げミシン目線を山折りすることで、底面板部前の内側に底面板部上側前が重なり、更に、折り曲げミシン目線を谷折りする。中仕切り板部の下側に連設された底面板部上側前は保形片の後側に折られて底面板部前によって固定状態を保たれ簡単には外れない状態となり、これにより、中仕切り部と正面板部の間にカレンダー紙葉群の収納空間を形成したことを特徴としている。
【発明の効果】
【０００７】
本発明の卓上カレンダーケースは、薄口タイプの板紙製であるので、使用後に再生紙資源としリサイクル可能な環境配慮型で省エネ効果があるので製品の印象がよい。また各構成部分が繋がった一枚の薄口タイプの板紙からなり、この一枚の薄口タイプの板紙を折り曲げと挿入と谷折りだけで簡単に製造できる。また、正面板部と保形板の間に中仕切り板部があり、カレンダー紙葉群はこの正面板部と中仕切り板部の間に収納されるので、カレンダー紙葉の差し替える時に開口部が広くなっているため容易にできる。
【図面の簡単な説明】
【０００８】
【図１】図１は卓上カレンダーケースを構成するブランクを示す展開図である。
【図２】図２は図1のブランクを組立て途中の卓上カレンダーケースを側面から見た状態で示す斜視図である。
【図３】図３は図１のブランクを組立てた状態の卓上カレンダーケースを表側から見た状態で示す斜視図である。
【図４】図４は図１のブランクを組立てた状態の卓上カレンダーケースを裏側から見た状態で示す斜視図である。
【発明を実施するための形態】
【０００９】
図１のブランクＡは、薄口タイプの板紙を打ち抜いて作成された一枚もので、底面板部前２０と底面板部後２１の連設辺に折り曲げミシン目線b１を設け、底面板部前２０の上辺側に幅板部１５を介して連設した正面板部１０を備え、さらに正面板部１０の左右両サイドにそれぞれ幅板部１１、１２を介して連設された保形板１３、１４を備え、また、底面板部後２１の下辺側に連設した背面板部３０を備え、さらに背面板部３０の左右両サイドにそれぞれ背面板部補強板３１、３２を備えている。そして、背面板部３０の下辺側に連設した中仕切り板部４０を備え、中仕切り板部４０の下辺側に連設した底面板部上側前２２を有している。
【００１０】
この図１に示すブランクＡを組立てることにより卓上カレンダーケースが得られる。その手順は次のようである。まず、背面板部補強板３１、３２を背面板部３０に重なるように折り曲げる。次に、底面板部前２０と底面板部後２１と背面板部補強板３１、３２の上になるように正面板部１０と正面板部１０の下辺側の幅板部１５を折り曲げるとともに正面板部１０の左右両サイドそれぞれ幅板部１１、１２を介して連設された保形板１３、１４を底面板部前２０と底面板部後２１と背面板部補強板３１、３２の上に重なるように折り曲げる。そして、中仕切り板部４０を正面板部１０の上になるように中仕切り板部４０を曲げるとともに底面板部上側前２２を保形板１３、１４と正面板部１０の間に挿入する。図２に示すように、底面板部前２０と底面板部後２１の連設辺にある折り曲げミシン目線b１を山折りすることで、底面板部前２０の内側に底面板部上側前２２が重なり、更に、折り曲げミシン目線b１を谷折りする。これにより、ブランクＡが組立てられ、図３及び図４に示すように、上部に開口が形成されるとともに中仕切り板部３０と正面板部１０の間にカレンダー紙葉の収容空間が形成される。そして、所定枚数のカレンダー紙葉群を上記の開口から挿入して卓上カレンダーとする。
【符号の説明】
【００１１】
Ａ    ブランク
１０    正面板部
１０a    開口
１１    幅板部
１２    幅板部
１３    保形板
１４    保形板
１５    幅板部
２０    底面板部前
２１    底面板部後
２２    底面板部上側前
３０    背面板部
３１    背面板部補強板
３２    背面板部補強板
４０    中仕切り板部
a１    折り曲げ線
a２    折り曲げ線
a３    折り曲げ線
a４    折り曲げ線
a５    折り曲げ線
a６    折り曲げ線
a７    折り曲げ線
a８    折り曲げ線
a９    折り曲げ線
a１０    折り曲げ線
a１１    折り曲げ線
b１    折り曲げミシン目線
【図１】
0006531270.tif 000002
【図２】
0006531270.tif 000003
【図３】
0006531270.tif 000004
【図４】
0006531270.tif 000005